(57)【特許請求の範囲】
【請求項１】
容器内に充填された内容物を排出するノズルを覆うためのカバーキャップであって、
前記カバーキャップは、その内壁面の周方向に間隔を空けて、当該カバーキャップの押し付け方向に延在して、前記ノズルのベース部において圧入嵌合する複数の張り出し部分を有し、
該張り出し部分は、カバーキャップの開口端近傍域で比較的小さい嵌合代でもって圧入することによりカバーキャップを仮嵌合させる少なくとも２つの仮嵌合用張り出し部分と、この仮嵌合用張り出し部分よりも奥底に且つ周方向の異なる箇所に位置し、前記仮嵌合用張り出し部分と共に該仮嵌合用張り出し部分と同等或いは近似値の嵌合代でもって圧入することによりカバーキャップを本嵌合させる少なくとも２つの本嵌合用張り出し部分との２種よりなる、ことを特徴とする２段嵌合式のカバーキャップ。
【請求項２】
容器内に充填された内容物を排出するノズルを覆うためのカバーキャップであって、
前記カバーキャップは、その内壁面の周方向に間隔を空けて、当該カバーキャップの押し付け方向に延在して、前記ノズルのベース部において圧入嵌合する少なくとも２つの張り出し部分を有し、
該張り出し部分は、周方向の異なる箇所に位置し、カバーキャップの開口端近傍域で比較的小さい嵌合代でもって圧入することによりカバーキャップを仮嵌合させる仮嵌合用張り出し部分と、この仮嵌合用張り出し部分と一体的で且つ該部分よりも奥底に位置し、仮嵌合用嵌合代よりも大きな嵌合代でもって圧入することによりカバーキャップを本嵌合させる本嵌合用張り出し部分とを有する、ことを特徴とする２段嵌合式のカバーキャップ。
【請求項３】
前記張り出し部分は、局所的に張り出した突起またはリブである請求項１または２に記載の２段嵌合式カバーキャップ。
【発明の詳細な説明】
【０００１】
【技術分野】
本発明は、容器内に充填された内容物を排出するノズルを覆うためのカバーキャップに関するものである。
【０００２】
【従来の技術】
従来容器には、整髪料や洗願フォームなどが内容物として充填され、この内容物を手動ポンプ操作または充填ガスなどによってノズルから排出可能なものがある。こうした容器に関しては、ノズルの誤操作によって内容物が排出されることを防止するため、ノズルを覆うためのカバーキャップを前記ノズルのベース部に嵌合させる技術が既知である。
【０００３】
しかしながら、整髪料や洗願フォームなどの日用品にあってはその使用頻度が高いため、前記カバーキャップが完全に嵌着されない状態のままで使用する場合が多く、仮に容器が転倒した場合、カバーキャップの脱落によってノズルが誤動作し易いという不都合が生じる。
【０００４】
また、生産者の立場からすると、ノズルにカバーキャップを施した状態で別のライン工程に搬送する場合にあってはカバーキャップの脱落を防止できるような強固な取り付けが必要である一方、使用者の立場からすると、カバーキャップが必要以上な力で取り付けられると、上述した理由によって、日常生活に不便なこともある。
【０００５】
【発明が解決しようとする課題】
本発明は、上述した問題点を解消するためになされたものであって、カバーキャップの取り付け度合いに応じて仮嵌合または本嵌合が可能なカバーキャップを提供することを目的とする。
【０００６】
【課題を解決するための手段】
この課題を解決するため、本発明による２段嵌合式のカバーキャップは、容器内に充填された内容物を排出するノズルを覆うためのカバーキャップであって、前記カバーキャップは、その内壁面の周方向に間隔を空けて、当該カバーキャップの押し付け方向に延在して、前記ノズルのベース部において圧入嵌合する複数の張り出し部分を有し、該張り出し部分は、カバーキャップの開口端近傍域で比較的小さい嵌合代でもって圧入することによりカバーキャップを仮嵌合させる少なくとも２つの仮嵌合用張り出し部分と、この仮嵌合用張り出し部分よりも奥底に且つ周方向の異なる箇所に位置し、前記仮嵌合用張り出し部分と共に該仮嵌合用張り出し部分と同等或いは近似値の嵌合代でもって圧入することによりカバーキャップを本嵌合させる少なくとも２つの本嵌合用張り出し部分との２種よりなることを特徴とするものである。
【０００７】
つまり、カバーキャップの取り付けが弱い状態にある場合は、カバーキャップの取り外しが容易であると共に、容器が転倒してもキャップが脱落してノズルが誤作動することがない。さらに、カバーキャップの取り付けが強い状態にある場合は、カバーキャップを容器に対して強固に嵌着することができるため、容器を持ち運んでもカバーキャップが脱落してノズルが誤作動することがない。
【０００８】
従って、本発明によれば、１つのカバーキャップによって、日常的に使用する場合には容器の転倒によるノズルの誤作動を防止しつつカバーキャップの着脱を容易に行うことができ、また、生産者がライン工程で搬送する場合や、使用者が旅行などによって容器を携帯する必要がある場合にはカバーキャップが脱落することなく容器を持ち運ぶことができる。
【０００９】
また本発明の２段嵌合式カバーキャップは、容器内に充填された内容物を排出するノズルを覆うためのカバーキャップであって、前記カバーキャップは、その内壁面の周方向に間隔を空けて、当該カバーキャップの押し付け方向に延在して、前記ノズルのベース部において圧入嵌合する少なくとも２つの張り出し部分を有し、該張り出し部分は、周方向の異なる箇所に位置し、カバーキャップの開口端近傍域で比較的小さい嵌合代でもって圧入することによりカバーキャップを仮嵌合させる仮嵌合用張り出し部分と、この仮嵌合用張り出し部分と一体的で且つ該部分よりも奥底に位置し、仮嵌合用嵌合代よりも大きな嵌合代でもって圧入することによりカバーキャップを本嵌合させる本嵌合用張り出し部分とを有する、ことを特徴とするものである。この場合も、上記２段嵌合式カバーキャップと同様の作用効果を得ることができる。
【００１０】
【実施の形態】
本発明の好適な実施形態において、前記張り出し部分は、局所的に張り出したリブであることが好ましい。この場合、前記張り出し部分を容易かつ安価に製造することができる。
【００１１】
【実施例】
以下、本発明の実施例を、添付図面に基づき詳細に説明する。
【００１２】
図１は、本発明である、２段嵌合式のカバーキャップの第１実施例であって、図（ａ）はカバーキャップが本嵌合した状態を示す斜視図、図（ｂ），（ｃ）はそれぞれ、カバーキャップが仮嵌合または本嵌合した状態を示す一部断面図である。
【００１３】
本実施例によるカバーキャップ１０は、図１（ａ）に示す如く、容器４０内に充填された内容物を排出するノズル５０を覆うためのカバーキャップである。ノズル５０は、使用者の指押し操作によって内容物を霧状に噴射するスプレー式であって、使用者が指操作するノズルヘッド５１と、容器４０に取り付けられたノズルヘッド５１の座部となるノズルベース５２とで構成される。このノズルベース５２は、径寸法の異なる第１ベース５２ａおよび第２ベース５２ｂを一体成形した２段形状である。
【００１４】
なお、ノズル５０は、使用者の指操作で内容物が排出されるものであれば、上記の手動ポンプ式に限らず、充填ガスによって内容物が霧状またはムース状に排出されるものであってもよい。
【００１５】
カバーキャップ１０は、図１（ｂ），（ｃ）に示す如く、その内壁面の周方向に間隔を空けて、ノズルベース５０において圧入嵌合する少なくとも２つの張り出し部分１１，１２を有する。これら張り出し部分１１，１２は、カバーキャップ１０の開口端近傍域に位置する仮嵌合用張り出し部分１１と、この仮嵌合用張り出し部分１１よりも奥底に且つ周方向の異なる箇所に位置する本嵌合用張り出し部分１２との２種よりなる。
【００１６】
これら張り出し部分１１，１２は、図１（ｂ），（ｃ）に示す如くに作用する。
【００１７】
まずカバーキャップ１０を弱い力でノズルベース５０に押し付けると、図１（ｂ）に示す如く、仮嵌合用張り出し部分１１が第１ベース５２ａに対して、カバーキャップ１０の開口端近傍域で比較的小さい嵌合代Ｃでもって圧入することによりカバーキャップ１０を仮嵌合させる。次に、カバーキャップ１０をさらに強い力でノズルベース５２に押し付けると、図１（ｃ）に示す如く、本嵌合用張り出し部分１２が第２ベース５２ｂに対して、仮嵌合用張り出し部分１１と共に仮嵌合用張り出し部分１１と同等或いは近似値の嵌合代Ｃoでもって圧入することによりカバーキャップ１０を本嵌合させる。
【００１８】
つまり、カバーキャップ１０の取り付けが弱い状態にある場合は、カバーキャップ１０の取り外しが容易であると共に、容器４０が転倒してもキャップ１０が脱落してノズル５０が誤作動することがない。さらに、カバーキャップ１０の取り付けが強い状態にある場合は、カバーキャップ１０をノズル５０に対して強固に嵌着することができるため、容器４０を持ち運んでもカバーキャップ１０が脱落してノズル５０が誤作動することがない。
【００１９】
従って、本実施例によれば、１つのカバーキャップ１０によって、日常的に使用する場合には容器４０の転倒によるノズル５０の誤作動を防止しつつカバーキャップ１０の着脱を容易に行うことができ、また、生産者がライン工程で搬送する場合や、使用者が旅行などによって容器４０を携帯する必要がある場合にはカバーキャップ１０が脱落することなく容器４０を持ち運ぶことができる。
【００２０】
図２は、第１実施例に関する他の実施例であって、図（ａ），（ｂ）はそれぞれ、カバーキャップが仮嵌合または本嵌合した状態を示す断面図であり、図（ｃ）は、カバーキャップの内側面を展開した状態を示す平面図である。なお、第１実施例と同一部分は同一符号をもって、その説明を省略する。
【００２１】
カバーキャップ２０は、図２（ａ），（ｂ）に示す如く、第１実施例と同様、図２（ｃ）に示す如く、カバーキャップ２０の開口端近傍域に位置する仮嵌合用張り出し部分２１と、この仮嵌合用張り出し部分２１よりも奥底に且つ周方向の異なる箇所に位置する本嵌合用張り出し部分２２の２種よりなり、これら張り出し部分２１，２２は、図２（ａ），（ｂ）に示す如く、第１ベース５２ａに対してのみ作用する。
【００２２】
まずカバーキャップ２０を弱い力でノズルベース５２に押し付けると、図２（ａ）に示す如く、仮嵌合用張り出し部分２１が第１ベース５２ａに対して圧入することによりカバーキャップ２０を仮嵌合させる。次に、カバーキャップ２０をさらに強い力でノズルベース５２に押し付けると、図２（ｂ）に示す如く、本嵌合用張り出し部分２２が第１ベース５２ａに対して、仮嵌合用張り出し部分２１と共に圧入することによりカバーキャップ２０を本嵌合させる。
【００２３】
従って、本実施例も、第１実施例と同様の作用効果を得ることができる。なお、張り出し部分２１，２２は、第１ベース５２ａに対してのみ嵌合するものではなく、例えば、第２ベース５２ｂに対してのみ嵌合するものであってもよい。
【００２４】
図３は、本発明の第３実施例であって、図（ａ）はカバーキャップが仮嵌合した状態を示し、また、図（ｂ）は本嵌合した状態を示す断面図である。なお、第１，２実施例と同一部分は同一符号をもって、その説明を省略する。
【００２５】
カバーキャップ３０は、図３に示す如く、その内壁面の周方向に間隔を空けて、ノズルベース５２において圧入嵌合する少なくとも２つの張り出し部分３１，３２を有する。これら張り出し部分３１，３２は、カバーキャップ３０の開口端近傍域に位置する仮嵌合用張り出し部分３１と、この仮嵌合用張り出し部分３１と一体的で且つこの部分３１よりも奥底に位置する本嵌合用張り出し部分３２とを有する。
【００２６】
これら張り出し部分３１，３２は、図３に示す如く、第１ベース５２ａに対してのみ作用する。
【００２７】
まずカバーキャップ３０を弱い力でノズルベース５２に押し付けると、図３（ａ）に示す如く、仮嵌合用張り出し部分３１が第１ベース５２ａに対して、カバーキャップ３０の開口端近傍域で比較的小さい嵌合代Ｃ1でもって圧入することによりカバーキャップ３０を仮嵌合させる。次に、カバーキャップ３０をさらに強い力でノズルベース５２に押し付けると、図３（ｂ）に示す如く、本嵌合用張り出し部分３２が第１ベース５２ｂに対して、仮嵌合用張り出し部分３１よりも大きな嵌合代Ｃ2でもって圧入することによりカバーキャップ３０を本嵌合させる。
【００２８】
つまり、カバーキャップ３０の取り付けが弱い状態にある場合は、カバーキャップ３０の取り外しが容易であると共に、容器４０が転倒してもキャップ３０が脱落してノズル５０が誤作動することがない。さらに、カバーキャップ３０の取り付けが強い状態にある場合は、カバーキャップ３０をノズル５０に対して強固に嵌着することができるため、容器４０を持ち運んでもカバーキャップ３０が脱落してノズル５０が誤作動することがない。
【００２９】
従って、本実施例によれば、１つのカバーキャップ３０によって、日常的に使用する場合には容器４０の転倒によるノズル５０の誤作動を防止しつつカバーキャップ３０の着脱を容易に行うことができ、また、生産者がライン工程で搬送する場合や、使用者が旅行などによって容器４０を携帯する必要がある場合にはカバーキャップ３０が脱落することなく容器４０を持ち運ぶことができる。
【００３０】
なお、張り出し部分３１，３２は、第１ベース５２ａに対してのみ嵌合するものではなく、例えば、第２ベース５２ｂに対してのみ嵌合するものや、第１実施例のように、第１ベース５２ａおよび第２ベース５２ｂの個々に嵌合するものであってもよい。
【００３１】
上記第１〜第３実施例において、張り出し部分１１，１２（２１，２２）、（３１，３２）それぞれは、本実施例のように、張り出し部分１１，１２（２１，２２）、（３１，３２）それぞれを、局所的に張り出したリブとすれば、張り出し部分１１，１２、または、張り出し部分２１，２２、または、張り出し部分３１，３２を容易かつ安価に製造することができる。
【００３２】
上述した実施例それぞれは、請求の範囲において、様々な変更が可能であって、例えば、ノズルベース５２は２段形状に限らず、多段形状であっても、段差を有しないものであってもよい。
【図面の簡単な説明】
【図１】（ａ）は本発明による２段嵌合式カバーキャップの第１実施例を示す斜視図、また、（ｂ），（ｃ）はそれぞれ、本発明による第１実施例であって、カバーキャップが仮嵌合または本嵌合した状態を示す断面図である。
【図２】（ａ），（ｂ）はそれぞれ、本発明による第２実施例であって、カバーキャップが仮嵌合または本嵌合した状態を示す断面図、（ｃ）は内側面を示す展開図である。
【図３】本発明の第３実施例であって、領域（ａ）はカバーキャップが仮嵌合した状態を示し、領域（ｂ）は本嵌合した状態を示す断面図である。
【符号の説明】
１０  カバーキャップ
１１  仮嵌合張り出し部
１２  本嵌合張り出し部
２０  カバーキャップ
２１  仮嵌合張り出し部
２２  本嵌合張り出し部
３０  カバーキャップ
３１  仮嵌合張り出し部
３２  本嵌合張り出し部
４０  容器
５０  ノズル
５１  ノズルヘッド
５２  ノズルベース
５２ａ  第１ベース
５２ｂ  第２ベース
Ｃ，Ｃ1，Ｃ2  嵌合代
【図１】
0004531200.tif 000002
【図２】
0004531200.tif 000003
【図３】
0004531200.tif 000004